(57)【要約】      （修正有）【課題】杓子の使用後略垂直に立て置きしても転倒し難い杓子を提供する。【解決手段】平面視において略円形で凹面状に形成した掬い部２と、該掬い部の外周縁３から略裾広がり状に延出する略中空円筒状の柄部４とを一体的に形成すると共に、前記柄部先端９の外周端縁には鉛直方向に波状の波状突起１１を形成する。この形状とすることにより、掬い部は薄く形成しても所望の強度を維持でき、柄部４は略裾広がり状で略中空円筒状に延出させるので、垂直方向の重心位置を可及的に下方に位置でき転倒し難い構造となる。【選択図】図１
0003144411.tif 000002
【実用新案登録請求の範囲】
【請求項１】
平面視において略円形で凹面状に形成した掬い部と、該掬い部の外周縁から略裾広がり状に延出する略中空円筒状の柄部とを一体的に形成すると共に、前記柄部先端の外周端縁には鉛直方向に波状の波状突起を形成したことを特徴とする杓子。
【請求項２】
前記杓子は、ポリプロピレン樹脂又はその他の合成樹脂により形成されると共に、前記掬い部の内外面には無数の凹凸部と該凹凸部の表面にさらに複数の小凸部を設けたダブルエンボス面が成形されていることを特徴とする請求項１記載の杓子。
【請求項３】
前記柄部先端の外周端縁に形成した波状突起は、その外周端縁に沿って少なくとも３つ以上の凸部を有していることを特徴とする請求項１記載の杓子。
【考案の詳細な説明】
【技術分野】
【０００１】
本考案は、ご飯や煮物類の盛り付けに用いる杓子に関し、詳しくは杓子の使用後略垂直に立て置き可能とした杓子に関する。
【背景技術】
【０００２】
従来、家庭で用いられている杓子例えばご飯の盛り付け用の杓子の場合、その掬い部は主に板状で略楕円状に形成し、その表面は平滑面もしくは複数の凹凸を設けたものが多い。また、煮物類の盛り付け用の杓子にあっては凹面状の掬い部と一体的に長い柄部を具備したものが用いられている。
【０００３】
これらの杓子は、何れも使用後はご飯容器（おひつ等）や煮物容器の中に据え置くか又は別置きの杓子置きを用意してそこに据え置いたりしているのが普通である。また、近年は柄の末端に安定板を設けて炊飯器に立てかけるようにしたもの（特許文献１）、或いは別置きの杓子置きに掛け止めするようにしたもの（特許文献２）も提案されている。
【０００４】
さらには、上記問題点を改良したものとして、杓子の柄の末端を扁平に形成し使用後その末端部をテーブル面に当接させて該杓子自体を縦置き可能に構成したもの（特許文献３）なども提案されている。
【特許文献１】実用新案登録第３１３４８９３号公報（図１）
【特許文献２】実用新案登録第３１３１７９７号公報（図１）
【特許文献３】実用新案登録第３１０１０６２号公報（図１）
【考案の開示】
【考案が解決しようとする課題】
【０００５】
上述した従来技術は、何れも杓子自体を立て置きにすることによって掬い部の清潔を保持するものであるが、該杓子を立て置いたときにその掬い部が柄部の大きさの割りに大きいことから垂直方向の重心位置が高く、そのうえ前記掬い部の大きさの割に柄の端部の面積が狭いため、仮に立て置いたとしても不安定で僅かの外力が加わっただけで転倒しやすいという問題点がある。
【０００６】
本考案は、上記問題点を改善するため、杓子の掬い部を軽量にして立て置いたときに垂直方向の重心位置が可及的に下方に位置するように形成すると共に、柄部先端部の面積を広くしかも設置面に多少の凹凸や障害物があったとしても安定的に立て置くことができ、かつ把持し易い杓子を提供することを目的とする。
【課題を解決するための手段】
【０００７】
上記目的を達成するために本考案は、平面視において略円形で凹面状に形成した掬い部２と、該掬い部の外周縁３から略裾広がり状に延出する略中空円筒状の柄部４とを一体的に形成すると共に、前記柄部先端９の外周端縁には鉛直方向に波状の波状突起１１を形成したことを特徴とする（請求項１）。
【０００８】
さらに、前記杓子は、ポリプロピレン樹脂又はその他の合成樹脂により形成されると共に、前記掬い部の内外面には無数の凹凸部と該凹凸部の表面にさらに複数の小凸部を設けたダブルエンボス面を成形することもできる（請求項２）。
【０００９】
また、前記柄部先端９の外周端縁に形成した波状突起１１は、その外周端縁に沿って少なくとも３つ以上の凸部を形成するとよい（請求項３）。
【考案の効果】
【００１０】
本考案によれば、掬い部２は平面視において略円形で凹面状に形成されているため従来以上に薄く形成しても所望の強度を保持でき、しかも軽量となるため立て置いたときも垂直方向の重心位置を可及的に下方に位置できる。さらに、その柄部４は掬い部２の外周縁から略裾広がり状で略中空円筒状に延出し該柄部先端９の外周端縁には鉛直方向に波状の波状突起１１を形成したことにより柄部自体も軽量でかつその端部の直径も大きくできしかも設置部との接触点が複数存在することにより安定的に立て置くことができると共に把持し易い（請求項１）。
【００１１】
さらに、杓子全体を、ポリプロピレン樹脂又はその他の合成樹脂により一体成型すると共に、前記掬い部２の内外面には無数の凹凸部と該凹凸部の表面にさらに複数の小凸部を設けたダブルエンボス面を成形したことにより、ご飯や煮物類の盛り付け時食材のかき込みも容易でかつご飯など粘着性の食品の付着も少ないない（請求項２）。
【００１２】
また、前記柄部先端の外周端縁に形成した波状突起は、その外周端縁に沿って少なくとも３つ以上の凸部を有していることから設置面に多少の凹凸や障害物があったとしても設置部との接触点が複数生ずるのでより安定的に立て置くことができる（請求項３）。
【考案を実施するための最良の形態】
【００１３】
ポリプロピレン樹脂又はその他の合成樹脂により一体成型された平面視略円形で凹面状の掬い部２と、該掬い部の外周縁から略裾広がり状に延出する略中空円筒状の柄部４と有し、前記柄部先端の外周端縁には鉛直方向に波状の波状突起１１を形成する。
【００１４】
これにより、掬い部も軽量となりかつ杓子を立て置いた際でも該杓子の垂直方向の重心位置が可及的に下方に位置すると共に、柄部先端の外周端縁に形成した波状突起１１によって設置部との接触点が複数存在しより設置安定性も増す。
【実施例１】
【００１５】
以下、本考案の実施例を図１ないし図６により説明する。杓子１はポリプロピレン樹脂又はその他の合成樹脂により一体成型された掬い部２と、該掬い部の外周縁３から放射方向に略裾広がり状に延出する略中空円筒状の柄部４とにより成り、前記掬い部の輪郭は平面視で略円形を成しその中央部は凹面状に窪んで形成されると共に、その肉厚は各種食材が掬える程度の強度を有する厚さ（概ね１ないし２ミリメートル程度）の薄型・軽量に形成されている。
【００１６】
さらに、前記凹面部には任意の絵柄模様又はキャラクター模様を刻むことによって杓子を立て置いたときには外観的にてるてる坊主やスカートを身に付けた女の子のようなイメージを与えることから、子供が使っても親しみ易い形態を成している。また、杓子１に着色を施して成形したものを数種類用意し、好みに応じて選択使用可能にすればさらに好感が得られる。
【００１７】
それと共に、前記掬い部の内外面即ち表面５と背面６の表面（図３）には１５０〜３００μの高さで略半円状の複数の凹凸部７と該凹凸部の表面にさらに３０〜１４０μの複数の小凸部（しぼ面）８が無数に点在してダブルエンボス面を形成している（図４）。なお、このダブルエンボスの詳細は本考案者出願の特開２００１−２６９２７４号公報で提案されているものでありその詳細説明は省略する。
【００１８】
また、柄部４は前記掬い部の外周縁３から略放射方向に略裾広がり状の中空円筒状に延出しているその肉厚は概ね１ないし２ミリメートル程度に形成され、その柄部先端９にはその外周端縁１０に沿って鉛直方向に波状を成す複数の波状突起１１が形成されている。
【００１９】
この波状突起１１は、図５に示すように連続する略曲線で形成される複数の凸部（本実施例では５つ）として形成するもので、その数は好ましくは３つ以上の奇数で形成するのがよく、該凹凸を形成する波状曲線もこれに限らず不連続の曲線であってもよいことは言うまでもない。
【００２０】
本考案は、以上の如く構成するもので掬い部２は略円形で凹面状を成すと共にその表面はダブルエンボス面を形成していることから食品類との接触部も少なく杓子からの離脱性もよい。そのうえ、定量のご飯や食品の掬いができるので特に調理品を調理容器から食器へ移す際も杓子からはみ出してこぼれ出ることがなく盛り付けも容易である。また、該掬い部は凹面状であるから米や水その他の食材の計量用としても利用できる。
【００２１】
さらに、掬い部２自体の肉厚も比較的薄く軽量となっていることから杓子１の鉛直方向の重心位置は可及的に柄部４の先端部９側に近い位置に設定されることとなり、よって杓子使用後所定場所に立て置く際でも垂直方向の重心位置が低く、よって設置安定性も増す。
【００２２】
また、柄部先端９には複数の波状突起１１が形成されているから設置面との接触点も複数となり、杓子の設置安定性もさらに向上し転倒もし難くなる他、例えば子供のままごと用の玩具として利用したとしても杓子全体に角部がなく安全でしかも適度の膨らみと太さを有し把持し易いなど多くの特徴を有するものである。
【００２３】
以上、本考案の実施例について説明したが、本考案杓子１の掬い部２の形状は上述した実施例のように円形に限らず例えば楕円など変形円状であってもよく、さらに柄部４の形態も単なる裾広がりの逆テーパ状でなく、例えば中央部に膨らみを持たせり把持位置に凹凸を設けて使いやすくしたり、さらには小型にして幼児用のスプーンの形態に形成してもよく、要するに柄部先端に近づくにつれ略裾広がり状となっていればよく、本考案の要旨の範囲において各種の変形態様が可能であることは言うまでもない。
【図面の簡単な説明】
【００２４】
【図１】本考案杓子の正面図である。
【図２】本考案杓子の側面図である。
【図３】本考案杓子の縦断面図である。
【図４】ダブルエンボス面の拡大説明図である。
【図５】杓子の柄部先端の形状を示す斜視図である。
【符号の説明】
【００２５】
１  杓子
２  掬い部
３  外周縁
４  柄部
７  凹凸部
１１  波状凹凸
【図１】
0003144411.tif 000003
【図２】
0003144411.tif 000004
【図３】
0003144411.tif 000005
【図４】
0003144411.tif 000006
【図５】
0003144411.tif 000007